(57)【要約】【課題】配電盤を取り外すことなく、簡便に配電盤背部の作業スペースを確保できる圧縮空気除湿装置の配電盤を提供する。【解決手段】圧縮空気除湿装置の配電盤１は、圧縮空気除湿装置内の開口１２に、はめ込まれた状態から、前方への位置移動と傾斜が略同時に行われて前倒し状態に着脱可能に設置されるボックス配電盤１であって、ボックスを構成する両側板の、ボックス重心より下部に設けられたガイド４と、該開口１２の外側直近に位置する装置架体７に、夫々固設された突起とが摺動可能に係合し、ガイド４の端が突起２に突き当たってボックス配電盤１が前倒し状態で掛止する。【選択図】図２
2008312317.tif 000002
【特許請求の範囲】
【請求項１】
圧縮空気除湿装置内の開口に、はめ込まれた状態から、前方への位置移動と傾斜が略同時に行われて前倒し状態に着脱可能に設置されるボックス配電盤であって、ボックスを構成する両側板の、ボックス重心より下部に設けられたガイドと、該開口の外側直近に位置する装置架体に、夫々固設された突起とが摺動可能に係合し、該ガイドの端が該突起に突き当たってボックス配電盤が前倒し状態で掛止することを特徴とする圧縮空気除湿装置の配電盤。
【請求項２】
該ガイドが略長方形の長孔であって、該突起がピン又はボルトであることを特徴とする請求項１に記載の圧縮空気除湿装置の配電盤。
【請求項３】
ボックス配電盤がはめ込まれた状態で、該装置架体にネジ止めされることを特徴とする請求項１に記載の圧縮空気除湿装置の配電盤。
【請求項４】
請求項１，２又は３に記載の配電盤を備えたことを特徴とする圧縮空気除湿装置。
【発明の詳細な説明】
【技術分野】
【０００１】
本発明は、圧縮空気除湿装置内に設置される配電盤に関するものである。
【背景技術】
【０００２】
工場などの現場では、エアコンプレッサ等から送出される高圧空気を清浄化し、また除湿するために圧縮空気除湿装置が用いられている。圧縮空気除湿装置は、電力駆動であって、図５に示すように装置内の前面に配電盤が備えられている。通常、配電盤１は、その前面の四つ角をボルト３によって装置架体７と固定される。
【０００３】
配電盤の背部には、高圧空気の配管等が備えられている。そのため、配管の点検時には、その都度配電盤を取り外す必要がある。配電盤は重いため、２人以上で作業をする必要があるし、取り外した配電盤を別な所に置かなければならず、時間がかかる。また、万一配電盤を落下させてしまうと、作業者が怪我をしたり、配電盤を壊したりする恐れがある。
【０００４】
【特許文献１】特開平８−１７２７１０号公報
【発明の開示】
【発明が解決しようとする課題】
【０００５】
本発明は前記の課題を解決するためになされたもので、配電盤を取り外すことなく、簡便に配電盤背部の作業スペースを確保できる圧縮空気除湿装置の配電盤を提供することを目的とする。
【課題を解決するための手段】
【０００６】
前記の目的を達成するためになされた、特許請求の範囲の請求項１に記載された圧縮空気除湿装置の配電盤は、圧縮空気除湿装置内の開口に、はめ込まれた状態から、前方への位置移動と傾斜が略同時に行われて前倒し状態に着脱可能に設置されるボックス配電盤であって、ボックスを構成する両側板の、ボックス重心より下部に設けられたガイドと、該開口の外側直近に位置する装置架体に、夫々固設された突起とが摺動可能に係合し、該ガイドの端が該突起に突き当たってボックス配電盤が前倒し状態で掛止することを特徴とする。
【０００７】
請求項２に記載された圧縮空気除湿装置の配電盤は、請求項１に記載されたもので、該ガイドが略長方形の長孔であって、該突起がピン又はボルトであることを特徴とする。
【０００８】
請求項３に記載された圧縮空気除湿装置の配電盤は、請求項１に記載されたもので、該ボックス配電盤がはめ込まれた状態で、該装置架体にネジ止めされることを特徴とする。
【０００９】
請求項４に記載された圧縮空気除湿装置は、請求項１，２又は３に記載の配電盤を備えたことを特徴とする。
【発明の効果】
【００１０】
本発明の圧縮空気除湿装置の配電盤は、その両側下部に設けられたガイドと装置架体に固設された突起とが係合し、自重によってガイドに沿って突起が摺動して、簡便に前面に開くことができる。開かれた配電盤は、その前面板の下端延長が装置架体と当接することにより、掛止して前倒し状態を保持できる。そのため、配電盤を装置から完全に取り外すことなく、配電盤の背部にあって、装置内に組み込まれた配管等のメンテナンス作業を行うことができる。したがって、作業時間を短縮化できるし、一人でも作業を行うことができる。また、開く際に、配電盤を落下させる心配がないので、怪我や配電盤の損傷を未然に防ぐことができる。
【００１１】
また、本発明の圧縮空気除湿装置の配電盤は、別途ベアリングや蝶番等を必要とせず、構成が簡略であるので、安価に製造することが可能である。
【発明を実施するための好ましい形態】
【００１２】
以下、本発明の好ましい実施形態を図面を参照して詳細に説明するが、本発明の範囲はこれらの実施形態に限定されるものではない。
【００１３】
本発明を適用する配電盤を備えた圧縮空気除湿装置が図１、図２及び図３に示してある。
【００１４】
この配電盤を備えた圧縮空気除湿装置の正面図が図１に示されている。配電盤１は、圧縮空気除湿装置内の開口にはめ込まれている。配電盤１は、その両側板に、長方形を構成する長孔４を備えている（図３参照）。長孔４は、配電盤１の重心より下部に位置している。配電盤１両側の装置架体７には、支持用ボルト２が固設され、長孔４と係合している。
【００１５】
また、配電盤１は前面に前面板９を備えている。前面板９は、両側の装置架体７間よりも幅が広い。そのため、前面板９は装置架体７よりも前に出ている。前面板９の四つ角には、固定用ボルト３が嵌合され、配電盤１と装置架体７とを固定している。また、前面板９の上部には、取っ手６が備えられ、一体化している。
【００１６】
この配電盤を備えた圧縮空気除湿装置の一部を切り欠いた斜視図が図２に示されている。圧縮空気除湿装置は、配電盤１の背部に、銅配管５が組み込まれている。配電盤１の背部の空間は、配電盤１、棚板１４及び外装板１６で仕切られている。
【００１７】
この配電盤の開閉方法を説明する。図１に示すように、前面板９に嵌合された４本の固定用ボルト３を外す。そして、装置架体７に固設された２本の支持用ボルト２を緩める。
【００１８】
図３は、この配電盤を備えた圧縮空気除湿装置の拡大側面図が示されている。取っ手６を持ち、矢印の方向に引く。すると配電盤１は、自重によって長方形の長孔４に沿って支持用ボルト２が摺動し、前方へ移動するとともに傾き、前倒し状態になる。
【００１９】
図４に示すように、配電盤１は、長孔４の右端に支持用ボルト２が当たる。配電盤１は、さらに傾き、前面板の下端延長９ａが装置架体７に当接し、止まって、前倒しが保持される。
【００２０】
このようにして、図２に示すように、配電盤１が簡単に開けられ、配電盤１の背部にある銅配管５のメンテナンス作業を行うことができる。作業の後は、上記と逆の手順を行うことにより、配電盤を閉めることができる。
【００２１】
また、長孔４として長方形のものを示したが、長孔は長円形であってもよい。
【図面の簡単な説明】
【００２２】
【図１】本発明を適用する配電盤を備えた圧縮空気除湿装置を示す正面図である。
【図２】本発明を適用する配電盤を備えた圧縮空気除湿装置を示す斜視図である。
【図３】本発明を適用する圧縮空気除湿装置の配電盤の閉状態を示す拡大側面図である。
【図４】本発明を適用する圧縮空気除湿装置の配電盤の開状態を示す拡大側面図である。
【図５】従来の配電盤を備えた圧縮空気除湿装置を示す正面図である。
【符号の説明】
【００２３】
１は配電盤、２は支持用ボルト、３は固定用ボルト、４は長孔、５は銅配管、６は取っ手、７は装置架体、９は前面板、９ａは前面板の下端延長、１２は開口、１４は棚板、１６は外装板である。
【図１】
2008312317.tif 000003
【図２】
2008312317.tif 000004
【図３】
2008312317.tif 000005
【図４】
2008312317.tif 000006
【図５】
2008312317.tif 000007